(57)【要約】【課題】従来の継手は、接続箇所が多く、敷設が面倒であるばかりでなく、各接続箇所からの漏水が生ずる可能性もあった。又、縮径される箇所がトラップ部分から離れているため、物が詰まった際にはこれを取り除くことは極めて困難であった。【解決手段】洗面器・流し台等からの排水管の差し込みを可能とした排水導入部とサイフォン排水の横引き管に接続される縮径された排水出口部とを一体に形成し、前記排水導入部の内側に止水リングを納める窪みとこの排水導入部の外側に刻設された雄ネジ部とを備えた継手基体と、洗面器・流し台の排水管に差し込まれる貫通部と前記雄ネジに螺合する雌ネジ部を備えた袋ナットと、からなるサイフォン排水用継手。１‥継手基体、１ａ‥排水導入部、１ｂ‥排水出口部、１ｃ‥縮径部、２‥袋ナット、２ａ‥貫通部、３‥止水リング、１１  排水管、Ａ‥本発明の継手。【選択図】図４
2007100356.tif 000002
【特許請求の範囲】
【請求項１】
洗面器・流し台等からの排水管の差し込みを可能とした排水導入部とサイフォン排水の横引き管に接続される縮径された排水出口部とを一体に形成し、前記排水導入部の内側に止水リングを納める窪みとこの排水導入部の外側に刻設された雄ネジ部とを備えた継手基体と、洗面器・流し台の排水管に差し込まれる貫通部と前記雄ネジに螺合する雌ネジ部を備えた袋ナットと、からなることを特徴とするサイフォン排水用継手。
【請求項２】
排水出口部が排水導入部に対して垂直下向きに形成された請求項１記載のサイフォン排水用継手。
【請求項３】
排水出口部が排水導入部に対して斜め向きに形成された請求項１記載のサイフォン排水用継手。
【請求項４】
排水出口部が排水導入部に対して横向きに形成された請求項１記載のサイフォン排水用継手。
【請求項５】
継手基体の縮径部が排水導入部の直下に位置する請求項１乃至４いずれか１記載のサイフォン排水用継手。
【発明の詳細な説明】
【技術分野】
【０００１】
本発明はサイフォン排水に用いられる継手に関するものであり、特に言えば、洗面器・流し台等からの排水管との接続に用いられる継手に係るものである。
【背景技術】
【０００２】
サイフォン排水システムは近年急速に開発されつつあるもので、このシステムに好適な継手は特に開発されていない。具体的に言えば、サイフォン排水用の洗面器・流し台等に使用される継手は存在せず、既存のレデュ−サ−やインクリ−ザ−を繋ぎ合わせ、例えば４０〜５０Ａの径を２０Ａ程度にまで縮径して施工することが行われていた。
【０００３】
図１は一般排水の場合の継手を示すものであり、例えば管径が３２Ａの洗面器排水管１１に対し、管径が５０Ａの接続継手１２及び管径が５０Ａのエルボ管１３が接続され、これに一定の勾配をもって管径が５０Ａの排水横引き管１４が接続されている。各管は例えば塩ビ製の管である。
【０００４】
しかるに、サイフォン排水の場合、図２示すように管径が３２Ａの洗面器排水管１１に管径が５０Ａの接続継手１２及び管径が５０Ａのエルボ管１３が接続され、場合によっては更にこれに５０Ａの接続継手１５が接続され、そして、インクリ−ザ−１６によって管径が５０Ａから４０Ａに縮径し、更にレデュ−サ−１７によって管径が４０Ａから２０Ａに縮径してなるもので、これに管径２０Ａの横引き管１８が無勾配で接続されるものである。各管はこれ又塩ビ製の管である。
【０００５】
接続継手１２について言えば、図３に示すように管径が３２Ａの洗面器排水管１１に対し、一端を３２Ａで他端を５０Ａの内径を有する継手１２ａを嵌め込み、一端側の外側に形成した雄ネジ１２ｂに袋ナット１２ｃを螺着してなるものである。図中、１２ｄは漏水防止用の止水リングであり、袋ナット１２ｃを螺着する際に押圧してなるものである。
【発明の開示】
【発明が解決しようとする課題】
【０００６】
これらの各図からも分かるように接続箇所が多く、敷設が面倒であるばかりでなく、各接続箇所からの漏水が生ずる可能性もあった。又、縮径される箇所がトラップ部分から離れているため、物が詰まった際にはこれを取り除くことは極めて困難であった。
【０００７】
更に、器具と接続する袋ナット状の継手は、通常は５０Ａの管径に接続するものであり、一方、洗面器であれば３２Ａ径、流し台であれば３８Ａ径で配管されたものを、一度５０Ａに接続され、これが２０Ａに接続される構造であったために、この分過剰スペックであり、更にメンテナンス上でも問題があった。
【０００８】
本発明は以上のような従来技術に鑑みてなされたものであり、接続箇所を極力少なくした洗面器・流し台等の排水管に接続されて使用されるサイフォン排水用継手を提供するものである。
【課題を解決するための手段】
【０００９】
本発明の要旨は、洗面器・流し台等の排水管の差し込みを可能とした排水導入部とサイフォン排水の横引き管に接続される縮径された排水出口部とを一体に形成し、前記排水導入部の内側に止水リングを納める窪みとこの排水導入部の外側に刻設された雄ネジ部とを備えた継手基体と、洗面器・流し台等の排水管に差し込まれる貫通部と前記雄ネジに螺合する雌ネジ部を備えた袋ナットと、からなることを特徴とするサイフォン排水用継手に係るものである。
【発明の効果】
【００１０】
本発明の構成は以上の通りであり、基本的に二つの部材を組み合わせた継手であって、排水導入部と縮径部と排水出口部とを一体に形成した継手基部と、これに螺合する袋ナットと、からなる継手であって、部品点数が少ないために、安価、かつ、設置時の作業性がよく、接続箇所が極めて少なくなるために漏水のおそれも極めて少なくなったという大きな効果がもたらされる。
【発明を実施するための最良の形態】
【００１１】
本発明は洗面器・流し台等からの排水管に接続する袋ナット状の継手とサイフォン排水で用いる２０Ａ程度の管の接続を組み合わせたものであり、更に詳しくは、片側を一般的な洗面器・流し台と接続する方法として用いられる袋ナット状の継手とし、もう片側をサイフォン排水に用いられる２０Ａ程度の管と接続できるようにした形状であり、途中で拡径部分や接続部分をなくしたことが特徴である。即ち、従来の手段にあっては、洗面器・流し台等からの排水をサイフォン排水で処理する際、複数の継手の繋ぎ合わせによって接続していたのを、１個の継手で接続可能としたものである。
【００１２】
継手基体と袋ナットは、樹脂製であっても金属製であってもよく、樹脂製の例を挙げれば、ＰＶＣ、ＡＢＳ、ＰＰ等が例示されるがこれに限定されるものではない。
【００１３】
そして、サイフォン排水においては縮径された部分で固形物が詰まるおそれがあるが、本発明の継手を使うことにより、詰まった固形物は管の奥の方まで行かず、継手部分で止まるため、メンテナンスが容易になったものである。更に、従来の手段では、一度５０Ａに拡径する必要があったが、本発明の継手にあってはこれが不要となったものであり、敷設作業性が向上したことは勿論であるが、漏水等の点でも優れたものとなった。
【００１４】
排水出口部と排水導入部との位置関係は任意であるが、具体的には排水出口部は排水導入部に対して垂直方向、傾斜方向、横方向等に配置されるものであり、フロアレベルとスラブレベルとによるスペ−スの関係、排水立て管の方向等によって任意に選択できる。
【００１５】
尚、継手基体の縮径部が排水導入部の直下に位置するものが好ましく、これによって固形物の詰まりが袋ナットにより近い部位になるため、これを取り除く工数は著しく簡略化されることとなる。
【実施例】
【００１６】
以下、本発明を実施例をもって更に詳細に説明する。図４は本発明の洗面器・流し台等のサイフォン排水用継手Ａの一部切断図であり、１は継手基体、２は袋ナットである。かかる継手基体１は塩ビ製であり、排水導入部１ａと排水出口部１ｂとを一体に形成してなるものである。そして、排水導入部１ａの直下に縮径部１ｃが配置されている。これらは、図例では直線状をなして垂直下向きに形成された例であり、具体的には例えば床下にスぺ−スのある戸建て住宅における排水下抜き用に好ましい形態である。
【００１７】
排水導入部１ａは、洗面器・流し台等からの排水管１１の差し込みを可能とした内径をなしており、この例では内径が５０Ａとされている。尚、かかる内径は、例えば洗面器用では３２Ａ（一部手洗い器は２５Ａ）、流し台では３８Ａとし、これら器具に使用されている直管が差し込み可能とする径であればよい。縮径部１ｃはその内径が２０Ａとされ、これがそのまま排水出口部１ｂに連なっており、排水出口部１ｂはサイフォン排水に利用されるものである。排水導入部１ａの外周面には雄ネジ部１ｄが刻設されている。
【００１８】
出口側の形状としては、サイズはサイフォン排水で一般的に用いる２０Ａ程度であるが、形状は任意である。今回の、図のような塩ビ製２０Ａと同じ径にすることにより、２０Ａのソケットを用い塩ビ管と接続や、変換継手を用いてその他管材とも接続可能である。また、その他管材への直接接続可能なような形状も好ましい。
【００１９】
袋ナット２はその頂部に排水管１１の差し込みを可能とした貫通部２ａが備えられ、内周面には前記の雄ネジ部１ｄと螺合可能な雌ネジ部２ｂが刻設されており、貫通部２ａに排水管１１を差し込み、かかる両ネジ部１ｄ及び２ｂを螺着することによって排水管１１と本発明の継手Ａとが接続されることとなる。尚、排水管１１と継手Ａとの接続部からの漏水を防ぐため、排水導入部１ａの内周側に止水リング３が装着される窪み１ｅを形成し、ここに止水リング３を装着しておくのがよい。尚、貫通部２ａは、例えば洗面器用では３２Ａ（一部手洗い器は２５Ａ）、流し台では３８Ａの直管がささる大きさとするものである。
【００２０】
図中、１ｆは継手基体１に備えたフィンであり、フロアＦに継手基体１が容易に取り付けられるようになっている例である。
【００２１】
かかるサイフォン排水継手Ａを用いることにより、従来のインクリ−ザ−やレデュ−サ−を組み合わせることによって構成される継手と比べて、部品点数が少なく、安価であり、継手としてのコンパクト化が可能であり、かつ、施工性にも優れている継手となった。しかも、接続部位が極めて少ないことから、漏水の発生もほとんど無視できることとなったものである。
【００２２】
更にかかる継手の特徴を述べれば、洗面器・流し台等からの固形物の流入は、前記した排水導入口１１に近接した縮径部１ｃに留まることとなるため、袋ナット２を螺脱して簡単に固形物を排除することが可能となったものである。この点、従来の手段による場合には、固形物は縮径機能をなすインクリ−ザ−やレデュ−サ−部にまで流れ込んでしまいこれを取り除くには極めて困難が伴うこととなってしまう。
【００２３】
排水出口部１ｂの位置について更に図示すれば、図５は本発明の洗面器・流し台等のサイフォン排水用継手Ｂの一部切断図であり、排水出口部１ｂはＲをもって横向きに曲げられた形態である。この例にあっては、床下にスペ−スが取りにくい場合に好んで用いられる継手である。この例では排水出口部１ｂが横向きに備えられたものである。
【００２４】
図６は図５の継手の変形例（継手Ｃ）であり、排水出口部１ｂが縮径部１ｃに接して形成された例であり、更にスぺ−スがない場合に好適な形態である。
【００２５】
図７は排水出口部１ｂが傾斜をもって備えられた継手Ｄであり、その後これに横引き管を接続して水平にすることが可能である。
【産業上の利用可能性】
【００２６】
本発明は以上のような構成を有するサイフォン排水用継手であり、洗面器、流し台等に好んで用いられるが、その利用範囲は特に限定されるものではなく、例えば洗濯機等の排水にも利用できることは勿論である。
【図面の簡単な説明】
【００２７】
【図１】図１は従来の一般排水の場合の継手を示す側面図である。
【図２】図２は既存の接続部材を用いたサイフォン排水用継手を示す側面図である。
【図３】図３は既存の接続部材の概要を示す一部切断図である。
【図４】図４は本発明のサイフォン排水用継手Ａの一部切断図である。
【図５】図５は本発明のサイフォン排水用継手Ｂの側面図である。
【図６】図６は本発明のサイフォン排水用継手Ｃの一部切断図である。
【図７】図７は本発明のサイフォン排水用継手Ｄの側面図である。
【符号の説明】
【００２８】
１‥継手基体、
１ａ‥排水導入部、
１ｂ‥排水出口部、
１ｃ‥縮径部、
１ｄ‥雄ネジ部、
１ｅ‥窪み、
１ｆ‥フィン、
２‥袋ナット、
２ａ‥貫通部、
２ｂ‥雌ネジ部、
３‥止水リング、
１１  排水管、
Ａ、Ｂ、Ｃ、Ｄ‥本発明の継手。
【図１】
2007100356.tif 000003
【図２】
2007100356.tif 000004
【図３】
2007100356.tif 000005
【図４】
2007100356.tif 000006
【図５】
2007100356.tif 000007
【図６】
2007100356.tif 000008
【図７】
2007100356.tif 000009